(57)【要約】【課題】基準濃度面の反射比率の経時変化を低減する。【解決手段】媒体２０を搬送する搬送路と、光を発光する発光部と、前記発光部が発光した光を導光し、前記媒体に照射光を照射する導光体２ａ，２ｂと、前記導光体と前記媒体との間に設けられ、前記照射光、及び前記媒体から拡散される拡散反射光が透過する光透過部６と、前記光透過部の前記導光体側の面に設けられ、前記照射光を所定の反射率で反射する基準濃度板１と、少なくとも前記基準濃度板で反射した反射光を個別に受光する受光部３，４とを有する。【選択図】図１
2016110355.tif 000002
【特許請求の範囲】
【請求項１】
媒体を搬送する搬送路と、
光を発光する発光部と、
前記発光部が発光した光を導光し、前記媒体に照射光を照射する導光体と、
前記導光体と前記媒体との間に設けられ、前記照射光、及び前記媒体から拡散される拡散反射光が透過する光透過部と、
前記光透過部の前記導光体側の面に設けられ、前記照射光を所定の反射率で反射する基準濃度面と、
少なくとも前記基準濃度面で反射した反射光を受光する受光部とを有する
ことを特徴とする媒体鑑別装置。
【請求項２】
請求項１に記載の媒体鑑別装置であって、
前記基準濃度面に隣接配置されている遮光材を備え、
前記導光体は、前記照射光を線状に照射する軸状体であり、
前記受光部は、受光素子と該受光素子の受光面に光を集光するレンズアレイとを備え、
前記レンズアレイは、前記遮光材を境界に、前記反射光を受光する反射光受光部と前記拡散反射光を受光する拡散反射光受光部とに分割されている
ことを特徴とする媒体鑑別装置。
【請求項３】
請求項２に記載の媒体鑑別装置であって、
前記遮光材は、その端面が前記レンズアレイのレンズ入射面に近接し、前記導光体まで延在している板状部材である
ことを特徴とする媒体鑑別装置。
【請求項４】
請求項１に記載の媒体鑑別装置であって、
前記基準濃度面に対して反対側の前記光透過部の面に設けられた光透過防止材をさらに備えていることを特徴とする媒体鑑別装置。
【請求項５】
請求項１に記載の媒体鑑別装置であって、
前記基準濃度面に対して反対側の前記光透過部の面に設けられた光透過防止材と、
前記光透過部に対して搬送路側と反対側であって、前記基準濃度面に隣接する位置に設けられた遮光材と、
を有することを特徴とする媒体鑑別装置。
【請求項６】
媒体を搬送する搬送路と、
光を発光する発光部と、
前記発光部が発光した光を導光し、前記媒体に照射光を照射する導光体と、
前記導光体と前記媒体との間に設けられ、前記照射光、及び前記媒体から拡散される拡散反射光を透過する光透過部と、
前記光透過部の前記導光体側の面に設けられ、前記照射光を所定の反射率で反射する基準濃度面と、
少なくとも前記基準濃度面で反射した反射光を受光する受光部と、
前記反射光の光量に基づいて、前記発光部が発光する光の光量を補正する制御部とを有する
ことを特徴とする媒体鑑別装置。
【請求項７】
請求項１乃至請求項６の何れか一項に記載の媒体鑑別装置を備えたことを特徴とする自動取引装置。
【発明の詳細な説明】
【技術分野】
【０００１】
本発明は、媒体鑑別装置、及び自動取引装置に関し、特に、紙幣の金種や真偽を鑑別する媒体鑑別装置、及び自動取引装置に関する。
に関する。
【背景技術】
【０００２】
自動取引装置は、金融機関や流通機関等に設置されるものであり、紙幣の金種を判別し、真贋を鑑別する紙葉類鑑別装置が内蔵されている。紙葉類鑑別装置は、発光素子やライン状の受光素子が内蔵されている光学センサを有している。この発光素子や受光素子は、経年変化や温度変化により、特性が変化するものである。このため、紙葉類鑑別装置は、発光素子の光量を増減し、センサ出力値を補正する必要がある。このため、紙葉類鑑別装置は、光学センサの外部に基準となる反射対象物を配置し、反射対象物での拡散反射光を受光素子が受光し、制御部が発光素子の光量を補正していた。例えば、特許文献１，２に記載の技術は、反射板や反射基準板を発光素子及び受光素子の対向側に、紙幣や搬送路を介して配置していた。
【先行技術文献】
【特許文献】
【０００３】
【特許文献１】特開２００９−２８３０号公報（図３，５，６）
【特許文献２】特開２００３−６７８０５号公報（図２）
【発明の概要】
【発明が解決しようとする課題】
【０００４】
しかしながら、特許文献１，２に記載の技術は、光学センサの外部に反射対象物（反射板や反射基準板）を配置していたので、反射対象物の表面に埃などの堆積物が付着することがあった。つまり、特許文献１，２に記載の技術は、紙幣に付着していた埃や紙粉が、搬送により舞い上がり、舞い上がった埃や紙粉が反射対象物に付着しやすいという問題があった。すなわち、特許文献１，２に記載の技術は、反射対象物の反射率が経時的に変化してしまい、反射対象物（反射率が規定された基準濃度面）の反射光量が経時的に変化することになり、ため正確な光量補正ができないという問題があった。
【０００５】
そこで、本発明は、基準濃度面の反射率の経時変化を低減することができる媒体鑑別装置、及び自動取引装置を提供することを目的とする。
【課題を解決するための手段】
【０００６】
前記課題を解決するため、本発明の媒体鑑別装置（５０）は、媒体（２０）を搬送する搬送路と、光を発光する発光部（例えば、発光素子５）と、前記発光部が発光した光を導光し、前記媒体に照射光を照射する導光体（２ａ，２ｂ）と、前記導光体と前記媒体との間に設けられ、前記照射光、及び前記媒体から拡散される拡散反射光が透過する光透過部（コンタクトプレート６）と、前記光透過部の前記導光体側の面に設けられ、前記照射光を所定の反射率で反射する基準濃度面（基準濃度板１の表面）と、少なくとも前記基準濃度面で反射した反射光を個別に受光する受光部（例えば、レンズアレイ３、受光素子４）とを有することを特徴とする。なお、（  ）内の文字、符号は例示である。
【０００７】
この媒体鑑別装置は、基準濃度面が光透過部の導光体側の面（光学センサの内面）に設けられているので、基準濃度面に埃などの堆積物の付着が回避され、反射率の経時変化が低減する。また、発光素子や受光素子の劣化（経時変化）は、基準濃度面の反射光量と受光目標値との差分を用いて補正することができる。したがって、この鑑別装置は、基準濃度面の反射率の経時変化が低減するため、基準濃度面の反射光量が安定し、センサ出力の補正がより正確となる。
【発明の効果】
【０００８】
本発明によれば、基準濃度面の反射率の経時変化を低減することができる。
【図面の簡単な説明】
【０００９】
【図１】本発明の第１実施形態である紙幣鑑別装置の構造図である。
【図２】本発明の第１実施形態である光学センサの斜視図である。
【図３】本発明の第１実施形態である光学センサの断面図である。
【図４】光量を補正する補正処理のフローチャートである。
【図５】本発明の第１実施形態である自動取引装置の構成図である。
【図６】本発明の第１実施形態である光学センサの課題を説明するための説明図である。
【図７】本発明の第２実施形態である光学センサの断面図である。
【図８】導光体の導光原理及び拡散原理を説明するための説明図である。
【発明を実施するための形態】
【００１０】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１１】
(第１実施形態)
（構成の説明）
図１は、第１実施形態の紙幣鑑別装置の構造図である。
媒体鑑別装置５０は、搬送ローラ９により媒体（紙幣）２０が搬送される搬送路と、搬送路の上下に配設された２つの光学センサ１０ａ，１０ｂと、制御部１５とを備えている。光学センサ１０ａ，１０ｂは、搬送方向に互いに離間して、コンタクトプレート６，６を搬送面に向けて配設している。
【００１２】
制御部１５は、プログラムが格納されたＲＯＭ（Read Only Memory）、ＲＡＭ（Random Access Memory）、及びＣＰＵ（Central Processing Unit：制御部）を備え、この制御部１５は、発光素子５ａ，５ｂ（図２）を点灯させ、図示しない駆動部を介して媒体（紙幣）２０を光軸方向と直交する方向に移動させる。また、制御部１５は、受光素子４が媒体２０の拡散反射光を検出し、その出力信号から媒体２０の表面画像を取得するように構成されている。
【００１３】
媒体２０は、表面に特有の絵柄や透かしを持つ紙幣であり、光が照射されると拡散（拡散反射）すると共に、裏面側に透過し拡散（拡散透過）する。ここで、媒体２０は、その表面には細かい凹凸があり、微視的には光が正反射していても、全体としての反射光は四方八方に散乱する。このような反射を拡散反射という。なお、媒体２０は、素材に光沢性があるポリマー紙幣であっても、印刷塗料が光を拡散させる。
【００１４】
図２は、光学センサの構造を示す斜視図であり、図３（ａ）はＢ−Ｂ断面図であり、図３（ｂ）はＡ−Ａ断面図であり、図３（ｃ）はＣ−Ｃ断面図である。
光学センサ１０（１０ａ，１０ｂ）は、基準濃度板１と、２本の導光体２（２ａ，２ｂ）と、レンズアレイ３と、受光素子４と、２個の発光素子５（５ａ，５ｂ）と、透明なコンタクトプレート６と、制御基板７と、２つの放熱板８（８ａ，８ｂ）とを備え、これらが筐体に格納されている。
【００１５】
基準濃度板１は、所定の反射率で光を反射する基準濃度面を表面に有する板状部材であり、非透光性媒体の物もあるがフィルム状の半透光性媒体の物もある。導光体２ａ，２ｂは、円柱状のガラス媒体であり、外部の媒体２０に線状の照明光を照射する。導光体２ａ，２ｂは、断面視楕円形状の柱状体媒体（軸状体）であり、互いに離間して平行に配設されており、搬送路を通過する媒体２０に斜め両側から光を照射する。
【００１６】
レンズアレイ３は、屈折率分布型のロッドレンズが複数配列されたＧＲＩＮ（Gradient Index）レンズアレイである。受光素子４は、フォトダイオードアレイであり、その受光面がロッドレンズの焦点近傍に配置されており、媒体２０の拡散反射光がロッドレンズにより集光される。レンズアレイ３と受光素子４とは、合わせて受光部として機能する。発光素子５ａ，５ｂは、ＲＧＢの発光ダイオード（ＬＥＤ：Light Emitting Diode）の組、又は白色の発光ダイオードであり、導光体２の端部に設けられている。コンタクトプレート６は、平面視長方形の板状の透光性媒体（ガラス部材）である。
【００１７】
また、基準濃度板１は、コンタクトプレート６の内面側であって、発光素子５に対して導光体２ａの軸方向反対側の端部に設けられている。図３（ｃ）の断面図において、導光体２ａ，２ｂは、コンタクトプレート６から離間しており、その離間距離は、基準濃度板１の厚さと同程度、又は基準濃度板１の厚さよりも長い。レンズアレイ３は、２本の導光体２ａ，２ｂの間であって、基準濃度板１、及びコンタクトプレート６と離間するように配設されている。制御基板７は、受光素子４、及び発光素子５を駆動する駆動回路（図示せず）が搭載されている。放熱板８ａ，８ｂは、コンタクトプレート６と導光体２ａ，２ｂとレンズアレイ３と制御基板７とを所定の位置に固定するものであり、特に、放熱板８ｂは発光素子５を固定すると共に、放熱を行う放熱機能を有している。
【００１８】
（動作の説明）
制御部１５は、搬送ローラ９を回転させ、所定の速度で媒体２０を搬送させる。制御部１５は、媒体２０の先端の通過を検出したとき、光学センサ１０ａ，１０ｂの発光素子５ａ，５ｂを点灯させ、導光体２ａ，２ｂが媒体２０に対して両側から線状に照明する。レンズアレイ３は、媒体２０の拡散反射光を受光素子４の受光面に集光する。つまり、レンズアレイ３は、ロッドレンズが媒体２０の各々の一点から拡散される光（拡散反射光）を受光素子４の各々の受光面に集光する。
【００１９】
受光素子４は、集光された拡散反射光の光量の値を出力し、制御部１５が受光素子４の出力値を逐次取得する。これにより、制御部１５は、媒体２０の表面画像を取得することができる。ここで、媒体鑑別装置５０は、光学センサ１０ａ，１０ｂを搬送路の上下に配設しているので、制御部１５が媒体２０の両面画像を取得することができる。また、光学センサ１０ａ，１０ｂは、搬送方向に互いに離間しているので、一方の光学センサ１０ａが媒体２０を透過する透過光が他の光学センサ１０ｂに入射することを防ぐことができる。
【００２０】
媒体鑑別装置５０は、反射率が規定された基準濃度板１が設置されている。このため、制御部１５は、受光素子４の出力値が受光目標値に近づくように、発光素子５ａ，５ｂの駆動電流を補正する。これにより、光学センサ１０ａ，１０ｂは、発光素子５ａ，５ｂの光出力を補正し、センサ出力が修正される。つまり、制御部１５は、発光素子５や受光素子４の経時変化による出力値変化を修正する。また、媒体鑑別装置５０は、基準濃度板１が光学センサ１０の内部（コンタクトプレート６の内側）に設置されているので、媒体２０の搬送時に反射対象物と受光素子との間に物体（埃やゴミ）が入り込むことが回避される。つまり、媒体鑑別装置５０は、基準濃度板１に埃などの堆積物が付着するのが回避され、基準濃度板１の反射率の経時変化が少なくなる。したがって、センサ出力の経時変化は、発光素子５ａ，５ｂや受光素子４の劣化のみに起因することになり、センサ全体としての補正精度が向上する。
【００２１】
ところで、媒体鑑別装置５０は、レンズアレイ３の入射面と媒体２０の表面との間の距離ｄ１（図１）と、レンズアレイ３の入射面と基準濃度板１との間の距離ｄ２（図１）とが一致していない。つまり、媒体鑑別装置５０は、レンズアレイ３の焦点が媒体２０の表面に略一致しているが、基準濃度板１には一致していない。つまり、レンズアレイ３は、各ロッドレンズが基準濃度板１の面内（ロッドレンズの径よりも小さく、焦点径よりも大きな円形の面内）から拡散される拡散反射光をロッドレンズが受光素子４の受光面まで導光することになる。
【００２２】
図４は、発光素子の光量を補正する補正処理のフローチャートである。
この処理フローは、媒体鑑別装置５０の起動時に実行される。まず、制御部１５は、発光量の調整値を初期値又は前回の起動時に設定された値にセットする（Ｓ１）。そして、制御部１５は、セットされた光量の調整値を用いて、発光素子５に駆動電流を流す駆動回路を制御し、発光素子５の発光が開始される（Ｓ２）。そして、制御部１５は、受光素子４から受光データを取得する（Ｓ３）。なお、このときのデータ取得は、光量の補正が目的なので、基準濃度板１と対向する軸方向端部のフォトダイオードの受光データを取得すればよい。
【００２３】
次に、制御部１５は、駆動回路を制御し、発光素子５の発光を停止させる（Ｓ４）。次に、制御部１５は、Ｓ３で取得した受光データと受光目標値との差分を算出する（Ｓ５）。次に、制御部１５は、発光量の補正値を算出する（Ｓ６）。つまり、制御部１５は、Ｓ１で設定された発光量の調整値を受光目標値で除して、この除算値を（Ｓ３で取得した受光データと受光目標値との差分値）で乗算し、乗算した乗算値を発光量の補正値とする。次に、制御部１５は、発光量の補正値をセットする（Ｓ７）。これにより、光量の補正処理は終了し、媒体２０の搬送と、制御部１５による画像取得が行われる。また、制御部１５は、Ｓ１でセットされた発光量の調整値に補正値を加算して、新たな調整値とし、次回の起動に備える。
【００２４】
（効果の説明）
媒体鑑別装置５０は、基準濃度板１が光学センサ１０の内部に配置されているので、基準濃度板１に埃などの堆積物が付着することがなくなる。基準濃度板１の反射率の経時変化がなくなるので、媒体鑑別装置５０は、基準濃度板１からの反射光量を経時変化することなく安定して取得できるようになる。これにより、媒体鑑別装置５０は、発光素子５の光量が受光目標値になるように、正確に補正され、光学センサ１０としての補正精度が向上する。
【００２５】
図５は、第１実施形態の自動取引装置の構成図である。
自動取引装置１００は、金融機関や流通機関等に配置されるＡＴＭであり、表示操作部２１と、明細票取扱部２２と、カード取扱部２３と、紙幣取扱部２４と、硬貨取扱部２６と、電源部２７と、制御装置２８とを備えている。
【００２６】
表示操作部２１は、タッチパネル式のＬＣＤ（Liquid Crystal Display）であり、取引画面が表示される。明細票取扱部２２は、取引内容を伝票に印字するプリンタである。カード取扱部２３は、金融カードに貼付された磁気テープやＩＣカードに格納された情報を読み取り、ＩＣカードに格納するユニットである。
【００２７】
紙幣取扱部２４は、紙幣投入口に投入された紙幣（紙葉類）の真偽を鑑別し、金種毎に計数する機構部であり、紙幣取扱部２４は、紙幣（媒体２０）を鑑別する媒体鑑別装置５０を備えている。なお、媒体鑑別装置５０は、プログラムが格納されたＲＯＭ、ＲＡＭ、及びＣＰＵ（Central Processing Unit：制御部）を備え、この制御部１５は、発光素子５を電流駆動すると共に、図示しない駆動部を介して媒体２０を導光体２の光軸方向と直角の方向に搬送させる。これにより、制御部１５は、ラインセンサ（受光素子４）が媒体２０の拡散反射光の光量を検出し、その出力信号から媒体２０の表面画像（媒体画像）を取得するように構成されている。
【００２８】
硬貨取扱部２６は、硬貨投入口に投入された硬貨を鑑別し、金種毎に計数する機構部である。また、紙幣取扱部２４及び硬貨取扱部２６は、自動取引装置内部に格納された紙幣や硬貨を外部に繰り出す機能も有している。電源部２７は、商用電源からの交流電力を直流電力に変換して、直流電力を各部に供給する電源装置である。制御装置２８は、ＦＣ（Factory Computer）により、構成されており、ＨＤＤ（Hard Disk Drive）等の不揮発性記憶部に格納されたＯＳ（Operations System）や取引プログラムをＲＡＭ（Random Access Memory）に展開して、ＣＰＵが実行することにより、各部を制御する。
【００２９】
（第２実施形態）
（構成の説明）
第１実施形態の光学センサ１０ａ，１０ｂは、基準濃度板１がコンタクトプレート６の内側に設けられていたので、基準濃度板１に埃などが付着することを防止することができた。しかしながら、図６に示すように、前記実施形態の媒体鑑別装置５０ａは、媒体２０が搬送路を通過する場合、基準濃度板１の反射光を受光する受光素子４に、媒体２０や搬送路から乱反射光（拡散反射光）が入射してしまう。このため、受光素子４は、基準濃度板１が有する本来の反射率の光量で出力しないことがある。
【００３０】
したがって、前記実施形態の媒体鑑別装置５０ａは、起動時に補正処理を行うこととし、媒体２０が通過するときは補正処理を実行することができなかった。この問題は、２４時間稼働する紙葉類鑑別装置のときは、電源投入時の１回しか光量補正をすることができないことになり、顕著であった。そこで、第２実施形態の光学センサは、外部からの透過光や拡散反射光が受光素子４（基準濃度板１に対向する部分）に入射することを防止するために、透過防止材１１、及び遮光材１２を配置することにした。
【００３１】
図７は、透過防止材、及び遮光材の配置を示す構成図であり、図７（ａ）は平面図であり、図７（ｂ）はＥ−Ｅ断面図であり、図７（ｃ）はＤ−Ｄ断面図であり、図７（ｄ）はＦ−Ｆ断面図である。
媒体鑑別装置５０ｂは、光学センサ１０ｃを備え、光学センサ１０ｃは、前記実施形態の光学センサ１０ａに対して、透過防止材１１及び遮光材１２をさらに有している。透過防止材１１及び遮光材１２は非透光性媒体である。透過防止材１１は、コンタクトプレート６の搬送路側の表面に設けられており、非透過性媒体を板状にした部材であってもよく、塗料やインクで形成してもよい。
【００３２】
透過防止材１１は、少なくとも基準濃度板１が配置されている位置の上方において、基準濃度板１の全面を覆っており、さらに、基準濃度板１の周囲を含んで覆うことが好ましい。これにより、透過防止材１１は、媒体２０や搬送路からの乱反射光（拡散反射光）がコンタクトプレート６を介して入射することを防止することができる。また、透過防止材１１は、基準濃度板１がフィルム状の半透光性部材であったときでも、乱反射光（拡散反射光）の入射を防止することができる。
【００３３】
遮光材１２は、図７（ｄ）に示すように、略Ｔ字状の板状媒体であり、コンタクトプレート６に接合していると共に、レンズアレイ３のレンズ入射面３ｃに近接している。また、遮光材１２は、導光体２ａ，２ｂまで延在しており、導光体２ａ，２ｂの周面であって、楕円形状である断面の長軸側１２ａ，１２ｂにも近接している。
【００３４】
遮光材１２は、図７（ｃ）に示すように、基準濃度板１に隣接配置され、レンズ入射面３ｃ（図７（ｄ））に近接しているので、レンズアレイ３、及び受光素子４を基準濃度板１の反射光を受光する反射光受光部３ａ，４ａと、媒体２０の拡散反射光を受光する拡散反射光受光部３ｂ，４ｂとの双方に分割する。また、レンズアレイ３のレンズ入射面３ｃは、反射光受光部３ａと拡散反射光受光部３ｂとの境界領域に存在している。つまり、遮光材１２は、媒体２０の拡散反射光がレンズアレイ３の反射光受光部３ａに入射しないように設けられている。
【００３５】
（動作の説明）
媒体鑑別装置５０ｂは、透過防止材１１や遮光材１２を配置することで、媒体通過状態でも、基準濃度板１の反射光を受光する受光素子４（基準濃度板１に対向する部分）に媒体２０からの乱反射光がレンズアレイ３に入射することを防止することができる。
【００３６】
これにより、前記第１実施形態において起動時の無媒体状態でのみ実行可能であった補正処理は、本実施形態においては、媒体通過時も逐次、実行可能となった。つまり、本実施形態の媒体鑑別装置５０ｂは、補正処理の間隔を狭めることが可能となり、補正精度を向上させることができる。つまり、第２実施形態の媒体鑑別装置５０ｂは、媒体２０の搬送中にも逐次、補正処理を行うことができるので、経時変化だけでなく、発光素子５や受光素子４の温度変化による光量変化にも対応することができる。
【００３７】
また、前記第１実施形態の媒体鑑別装置５０ａは、起動時のみ補正処理を行うので、２４時間稼働の場合、起動時の１回しか補正処理をすることができなかった。しかしながら、第２実施形態の媒体鑑別装置５０ｂは、媒体２０の搬送中にも逐次、光量の補正処理を行うので、２４時間稼働の場合でも、絶えず、補正処理が実行される。
【００３８】
（第３実施形態）
前記第１実施形態、及び第２実施形態は、断面が楕円形状である特定の導光体２（２ａ，２ｂ）を用いて、導光及び拡散を行っていたが、他の形状の導光体も使用することができる。以下、直方体状の導光体を用いて導光原理及び拡散原理の一例を説明する。なお、これらの原理は、導光体の断面形状や素材に依存しない。
【００３９】
図８は、導光体の導光原理及び拡散原理を説明するための説明図である。
図８（ａ）は、導光体の平面図であり、図８（ｂ）はＧ−Ｇ断面図であり、図８（ｃ）は、底面図であり、図８（ｄ）は側面図である。
【００４０】
導光体１７は、断面が長方形状のガラス媒体（透光性媒体）であり、両端に非透光性のホルダ１８により保持されている。導光体１７のガラスの屈折率をｎ１とし、空気の屈折率をｎ２とする。導光体１７の一端に設けられたＬＥＤ５は、比較的均等な配向特性を有している。例えば、ホルダ１８の方向に照射された光ｉ０は、ホルダ１８で吸収される。また、導光体１７のガラス（屈折率ｎ１＝１．４５）と空気（屈折率ｎ２＝１．０）との界面に入射する光は、入射角θが臨界角θｃ＝sin−１（ｎ２／ｎ１）＝４３．６°よりも小さいときには透過成分が存在するが、臨界角θｃよりも大きいときには、全反射する。
【００４１】
つまり、ＬＥＤ５が照射した臨界角θｃの光ｉ１は、導光体１７と空気との界面で全反射し、光ｉ２として直進する。そして、光ｉ２は、光ｉ１が全反射した界面の対向面でも再度、全反射し、光ｉ３となる。そして、光ｉ３は、全反射を繰り返し、ガラス内で導光が行われる。また、導光体１７の端部（他端）まで到達した光は、入射角が臨界角θｃよりも大きい光が全反射して、ＬＥＤ５側に戻り、臨界角θｃよりも小さい光が端面から透過することになる。ＬＥＤ５の近傍、及び他端側では、入射角が臨界角θｃよりも大きな光が存在するので、光量が強い光が導光体１７の外部に出射され、導光体１７の軸方向中心部では、全反射光のみとなり、導光体１７の外部には出射されない。
【００４２】
導光体１７の軸方向中心部近傍では光が外部に出射されないため、導光体１７は、媒体２０（図１）に近い一面のみを擦りガラス状に形成し、擦りガラス状に形成された線状の拡散面１７ａで光を散乱させて、光ｉ５として導光体１７の外部に出射させる。つまり、拡散面１７ａは、軸方向の中心部の拡散率を高くして、軸方向両端部の拡散率を低減させて、結果的に、軸方向に均一な強度で拡散光（散乱光）を出射させる。これにより、導光体１７は、媒体を拡散照明していることになる。なお、拡散率は、段階的に変化させてもよく、連続的に変化させてもよい。
【００４３】
（変形例）
本発明は前記した実施形態に限定されるものではなく、例えば以下のような種々の変形が可能である。
（１）前記各実施形態の光学センサ１０は、導光体２ａ，２ｂの一方の端部にのみ、発光素子５ａ，５ｂを設けたが、両端に発光素子５を設けることもできる。また、発光素子５ａ，５ｂの反対側の端部に反射板や反射膜を設けることもできる。これらにより、導光体２ａ，２ｂが線状に照射する照射光が軸方向に均一になる。
【００４４】
（２）前記実施形態の発光素子５ａ，５ｂは、ＲＧＢのＬＥＤや白色ＬＥＤを用いていたが、紫外光ＬＥＤを追加することができる。紫外光ＬＥＤを併用することにより、制御部１５は、媒体２０の紫外線画像（蛍光画像）及び媒体の可視光画像を取得する。特に、写真用のコピー用紙は、紫外線の反射率が高いので、制御部１５は、均一な紫外線画像を検知したときに、偽造紙幣であると判定する。なお、紫外光の場合、コンタクトプレート６は、石英ガラスを使用するのが好ましい。
【００４５】
（３）前記第１実施形態の媒体鑑別装置５０ａは、制御部１５が受光素子４の出力値と受光目標値との差分値を用いて、ＬＥＤ５ａ，５ｂの駆動電流を１回だけ補正する補正処理を行っていたが、制御部１５が受光素子４の出力値と受光目標値とが一致するように、ＬＥＤ５ａ，５ｂの駆動電流を帰還制御することもできる。これは、媒体２０の拡散反射光が受光素子４の反射光受光部４ａに入射しないように、遮光材１２を用いた第２実施形態において特に有用である。
【符号の説明】
【００４６】
１  基準濃度板（基準濃度面）
２，２ａ，２ｂ  導光体
３  レンズアレイ（受光部）
３ａ  反射光受光部
３ｂ  拡散反射光受光部
３ｃ  レンズ入射面
４  受光素子（受光部）
４ａ  反射光受光部
４ｂ  拡散反射光受光部
５，５ａ，５ｂ  発光素子（発光部）
６  コンタクトプレート（光透過部）
７  制御基板
８，８ａ，８ｂ  放熱板
９  搬送ローラ
１０，１０ａ，１０ｂ  光学センサ
１１  透過防止材
１２  遮光材
１５  制御部
１７  導光体
１７ａ  拡散面
１８  ホルダ
２０  媒体
２１  表示操作部
２２  明細票取扱部
２３  カード取扱部
２４  紙幣取扱部
２６  硬貨取扱部
２７  電源部
２８  制御装置
５０，５０ａ，５０ｂ  媒体鑑別装置
１００  自動取引装置
【図１】
2016110355.tif 000003
【図２】
2016110355.tif 000004
【図３】
2016110355.tif 000005
【図４】
2016110355.tif 000006
【図５】
2016110355.tif 000007
【図６】
2016110355.tif 000008
【図７】
2016110355.tif 000009
【図８】
2016110355.tif 000010